(57)【要約】      （修正有）【課題】貴金属等と比べて遜色のない装飾的効果を有し、かつ軽量で安価な透かし彫り又は切り絵工芸品及びその製造方法を提供する。【解決手段】工芸品の製造方法は、紙に透かし彫り又は切り絵加工を施す第１の工程と、紙に黒漆を塗布し、半日から１日乾燥させる第２の工程と、第２の工程を終えた黒漆が塗布された紙に黒漆を塗布するとともに、箔を貼付し、３日から５日間乾燥させる第３の工程と、箔のうち余分な部分を取り除く第４の工程とからなる。又は紙に透かし彫り又は切り絵加工を施す第１の工程と、紙に生漆を塗布した後、箔を貼付して３日から５日間乾燥させる第２の工程と、箔のうち余分な部分を取り除く第３の工程と、第３の工程を終えた箔が貼付された紙に生漆を塗布した後、箔を貼付して２週間から１ヶ月間乾燥させる第４の工程と、箔のうち余分な部分を取り除く第５の工程とからなる。【選択図】図３
2020185736.tif 000002
【特許請求の範囲】
【請求項１】
透かし彫り又は切り絵加工が施された紙からなる第１の層と、
前記第１の層の表面に塗布された漆からなる第２の層と、
前記第２の層に貼付された箔からなる第３の層と、
から構成される透かし彫り又は切り絵工芸品。
【請求項２】
前記漆は、黒漆又は生漆である、
ことを特徴とする請求項１に記載の透かし彫り又は切り絵工芸品。
【請求項３】
透かし彫り又は切り絵加工が施された紙からなる第１の層と、
前記第１の層の表面に塗布された生漆からなる第２の層と、
前記第２の層に貼付された箔からなる第３の層と、
前記第３の層の表面に塗布された生漆からなる第４の層と、
前記第４の層に貼付された箔からなる第５の層と、
から構成される透かし彫り又は切り絵工芸品。
【請求項４】
前記第１の層の紙は、樹脂含浸紙、フィルム法合成紙、柿渋紙又は楮を原料とした紙漉きにより製造された和紙からなる、
ことを特徴とする請求項１から３までのいずれか１項に記載の透かし彫り又は切り絵工芸品。
【請求項５】
前記箔は、金箔、銀箔、プラチナ箔、色銀箔又は模倣箔である、
ことを特徴とする請求項１から４までのいずれか１項に記載の透かし彫り又は切り絵工芸品。
【請求項６】
前記樹脂含浸紙は、コルドバである、
ことを特徴とする請求項４又は５に記載の透かし彫り又は切り絵工芸品。
【請求項７】
前記フィルム法合成紙は、ポリプロピレンを主原料とする、
ことを特徴とする請求項４又は５に記載の透かし彫り又は切り絵工芸品。
【請求項８】
紙に透かし彫り又は切り絵加工を施す第１の工程と、
前記透かし彫り又は切り絵加工された紙に漆を塗布する第２の工程と、
前記漆が塗布された紙に箔を貼付する第３の工程と、
前記貼付された箔のうち余分な部分を取り除く第４の工程とからなる、
ことを特徴とする透かし彫り又は切り絵工芸品の製造方法。
【請求項９】
紙に透かし彫り又は切り絵加工を施す第１の工程と、
前記透かし彫り又は切り絵加工された紙に黒漆を塗布し、所定の時間乾燥させる第２の工程と、
前記第２の工程を終えた紙に黒漆を塗布するとともに、箔を貼付し、所定の時間乾燥させる第３の工程と、
前記貼付された箔のうち余分な部分を取り除く第４の工程とからなる、
ことを特徴とする透かし彫り又は切り絵工芸品の製造方法。
【請求項１０】
紙に透かし彫り又は切り絵加工を施す第１の工程と、
前記透かし彫り又は切り絵加工された紙に黒漆を塗布し、所定の時間乾燥させる作業を複数回行う第２の工程と、
前記第２の工程を終えた紙に黒漆を塗布するとともに、箔を貼付し、所定の時間乾燥させる第３の工程と、
前記貼付された箔のうち余分な部分を取り除く第４の工程とからなる、
ことを特徴とする透かし彫り又は切り絵工芸品の製造方法。
【請求項１１】
前記第２の工程における所定の時間は半日から１日である、
ことを特徴とする請求項９又は１０に記載の透かし彫り又は切り絵工芸品の製造方法。
【請求項１２】
前記第２の工程の作業は２回である、
ことを特徴とする請求項１０又は１１に記載の透かし彫り又は切り絵工芸品の製造方法。
【請求項１３】
前記第３の工程における所定時間は３日から５日である、
ことを特徴とする請求項９から１２までのいずれか１項に記載の透かし彫り又は切り絵工芸品の製造方法。
【請求項１４】
紙に透かし彫り又は切り絵加工を施す第１の工程と、
前記透かし彫り又は切り絵加工された紙に生漆を塗布した後、箔を貼付して所定時間乾燥させる第２の工程と、
前記貼付された箔のうち余分な部分を取り除く第３の工程と、
前記第３の工程を終えた紙に生漆を塗布した後、箔を貼付して所定時間乾燥させる第４の工程と、
前記貼付された箔のうち余分な部分を取り除く第５の工程とからなる、
ことを特徴とする透かし彫り又は切り絵工芸品の製造方法。
【請求項１５】
前記第２の工程における所定時間は３から５日である、
ことを特徴とする請求項１４に記載の透かし彫り又は切り絵工芸品の製造方法。
【請求項１６】
前記第４の工程における所定時間は、２週間から１ヶ月である、
ことを特徴とする請求項１４又は１５に記載の透かし彫り又は切り絵工芸品の製造方法。
【請求項１７】
前記紙は、樹脂含浸紙、フィルム法合成紙、柿渋紙又は楮を原料とした紙漉きにより製造された和紙からなる、
ことを特徴とする請求項８から１６までのいずれか１項に記載の透かし彫り又は切り絵工芸品の製造方法。
【請求項１８】
前記箔は、金箔、銀箔、プラチナ箔、色銀箔又は模倣箔である、
ことを特徴とする請求項８から１７までのいずれか１項に記載の透かし彫り又は切り絵工芸品の製造方法。
【発明の詳細な説明】
【技術分野】
【０００１】
本発明は、工芸品及び工芸品の製造方法に関し、より具体的には、透かし彫り又は切り絵を施した工芸品及びその製造方法に関する。
【背景技術】
【０００２】
従来より装飾品やアクセサリー類等の工芸品は、貴金属で作られたり、金属や木などの表面に金箔や銀箔を施したりして、室内や身なりの装飾効果を高めている。
【０００３】
しかしながら、これらは一般的に高価であり、入手するのが簡単ではない。また、ある程度の重量を有しているため、持ち運びに不便であるとか、身につけた場合に体の一部に負担を感じさせるようなことがあった。
【０００４】
一方で、安価で軽い装飾部材として和紙が利用されており、和紙に漆や金箔等を施して装飾効果を演出する装飾体や表層材が知られている。
【先行技術文献】
【特許文献】
【０００５】
【特許文献１】特開平２−１４５４００
【特許文献２】特開平７−８９２９５
【０００６】
しかしながら、透かし彫り又は切り絵加工がされた紙に対して漆や金箔等を施した工芸品やその有効な製造方法は存在していなかった。
【発明の概要】
【発明が解決しようとする課題】
【０００７】
本発明は上記課題を解決するものであって、透かし彫り又は切り絵加工がされた紙をベースとし、それに漆及び箔を施すことにより、貴金属等と比べて遜色のない装飾的効果を有し、かつ軽量で安価な工芸品及びその製造方法を提供することにある。
【課題を解決するための手段】
【０００８】
上記課題を解決するために、本発明に係る透かし彫り又は切り絵工芸品は、透かし彫り又は切り絵加工が施された紙からなる第１の層と、前記第１の層の表面に塗布された漆からなる第２の層と、前記第２の層に貼付された箔からなる第３の層とからなることにある。
【０００９】
また、本発明に係る透かし彫り又は切り絵工芸品の第２の特徴は、前記第１の特徴における漆が、黒漆又は生漆であることにある。
【００１０】
さらに、本発明に係る透かし彫り又は切り絵工芸品の第３の特徴は、透かし彫り又は切り絵加工が施された紙からなる第１の層と、前記第１の層の表面に塗布された生漆からなる第２の層と、前記第２の層に貼付された箔からなる第３の層と、前記第３の層の表面に塗布された生漆からなる第４の層と、前記第４の層に貼付された箔からなる第５の層とからなることにある。
【００１１】
また、本発明に係る透かし彫り又は切り絵工芸品の第４の特徴は、前記第１から第３の特徴における第１の層の紙が、樹脂含浸紙、フィルム法合成紙、柿渋紙又は楮を原料とした紙漉きにより製造された和紙からなることにある。
【００１２】
さらにまた、本発明に係る透かし彫り又は切り絵工芸品の第５の特徴は、前記第１から第４までの特徴における箔が、金箔、銀箔、プラチナ箔、色銀箔又は模倣箔であることにある。
【００１３】
また、本発明に係る透かし彫り又は切り絵工芸品の第６の特徴は、前記第４又は第５の特徴における樹脂含浸紙が、コルドバであることにある。
【００１４】
さらに、本発明に係る透かし彫り又は切り絵工芸品の第７の特徴は、前記第４又は第５の特徴における前記フィルム法合成紙が、ポリプロピレンを主原料とすることにある。
【００１５】
さらにまた、本発明に係る透かし彫り又は切り絵工芸品の製造方法の第１の特徴は、紙に透かし彫り又は切り絵加工を施す第１の工程と、前記透かし彫り又は切り絵加工された紙に漆を塗布する第２の工程と、前記漆が塗布された紙に箔を貼付する第３の工程と、前記貼付された箔のうち余分な部分を取り除く第４の工程とからなることにある。
【００１６】
また、本発明に係る透かし彫り又は切り絵工芸品の製造方法の第２の特徴は、紙に透かし彫り又は切り絵加工を施す第１の工程と、前記透かし彫り又は切り絵加工された紙に黒漆を塗布し、所定の時間乾燥させる第２の工程と、前記第２の工程を終えた紙に黒漆を塗布するとともに、箔を貼付し、所定の時間乾燥させる第３の工程と、前記貼付された箔のうち余分な部分を取り除く第４の工程とからなることにある。
【００１７】
さらに、本発明に係る透かし彫り又は切り絵工芸品の製造方法の第３の特徴は、紙に透かし彫り又は切り絵加工を施す第１の工程と、前記透かし彫り又は切り絵加工された紙に黒漆を塗布し、所定の時間乾燥させる作業を複数回行う第２の工程と、前記第２の工程を終えた紙に黒漆を塗布するとともに、箔を貼付し、所定の時間乾燥させる第３の工程と、前記貼付された箔のうち余分な部分を取り除く第４の工程とからなることにある。
【００１８】
また、本発明に係る透かし彫り又は切り絵工芸品の製造方法の第４の特徴は、前記第２又は第３の特徴における前記第２の工程における所定の時間が半日から１日であることにある。
【００１９】
さらに、本発明に係る透かし彫り又は切り絵工芸品の製造方法の第５の特徴は、前記第３又は第４の特徴における前記第２の工程の作業は２回であることにある。
【００２０】
さらにまた、本発明に係る透かし彫り又は切り絵工芸品の製造方法の第６の特徴は、前記第２から第５の特徴における前記第３の工程における所定時間が３日から５日であることにある。
【００２１】
また、本発明に係る透かし彫り又は切り絵工芸品の製造方法の第７の特徴は、紙に透かし彫り又は切り絵加工を施す第１の工程と、前記透かし彫り又は切り絵加工された紙に生漆を塗布した後、箔を貼付して所定時間乾燥させる第２の工程と、前記貼付された箔のうち余分な部分を取り除く第３の工程と、前記第３の工程を終えた紙に生漆を塗布した後、箔を貼付して所定時間乾燥させる第４の工程と、前記貼付された箔のうち余分な部分を取り除く第５の工程とからなることにある。
【００２２】
さらに、本発明に係る透かし彫り又は切り絵工芸品の製造方法の第８の特徴は、前記第７の特徴における前記第２の工程における所定時間が３から５日であることにある。
【００２３】
さらにまた、本発明に係る透かし彫り又は切り絵工芸品の製造方法の第９の特徴は、前記第７又は第８の特徴における前記第４の工程における所定時間が、２週間から１ヶ月であることにある。
【００２４】
また、本発明に係る透かし彫り又は切り絵工芸品の製造方法の第１０の特徴は、前記第１から第９までのいずれかの特徴における前記紙が、樹脂含浸紙、フィルム法合成紙、柿渋紙又は楮を原料とした紙漉きにより製造された和紙からなることにある。
【００２５】
さらにまた、本発明に係る透かし彫り又は切り絵工芸品の製造方法の第１１の特徴は、前記第１から第１０までのいずれかの特徴における前記箔が、金箔、銀箔、プラチナ箔、色銀箔又は模倣箔であることにある。
【発明の効果】
【００２６】
本発明によれば、重厚感のある金・銀・プラチナ等の風合いを楽しみながらも、軽量で持ち運びがしやすい透かし彫り又は切り絵工芸品を得ることができる。構造によっては折り畳み、平らに収納することが可能であり、収納又は運搬時にかさばることがなくなる。これにより、ランプシェイドやオブジェ等の小型インテリアはもちろん、短期イベントでの大型ディスプレイとして貴金属の質感を演出したいときに、大きなものでも軽量で持ち運びしやすいという利点がある。
【００２７】
さらに、本発明がピアス、ネックレス、ブレスレット等の工芸宝飾として制作されている場合には、貴金属の輝きと魅力はそのままに、耳や肩・首に一切の負担なく装着・装備ができるとともに、貴金属と比べて安価に購入することが可能である。
【図面の簡単な説明】
【００２８】
【図１】本願発明に係る工芸品をアクセサリー（イヤリング）にした場合の正面図である。
【図２】実施例１の縦断面の状態を表した簡略図である。
【図３】実施例１の製作工程図である。
【図４】実施例２の縦断面の状態を表した簡略図である。
【図５】実施例２の製作工程図である。
【発明を実施するための最良の形態】
【００２９】
以下、本発明の実施形態につき、図面を参照して詳細に説明する。
【００３０】
本発明に係る透かし彫り又は切り絵工芸品の製造方法についてまず説明する。図中、１は本発明に係る工芸品をイヤリングにした例を表したものである。
【００３１】
工芸品１は、透かし彫り又は切り絵加工された紙２の表面に漆及び箔が積層されて構成されている。紙２は、樹脂含浸紙、フィルム法合成紙、柿渋紙又は楮を原料とした紙漉きにより製造された和紙からなることが望ましい。
【００３２】
樹脂含浸紙は、樹脂が塗り込まれている紙であり、ファインペーパーが望ましく、特にコルドバが好適である。コルドバは、独特のぬめり感があり、全体の雰囲気は「なめした革」を彷彿させるファインペーパーであり、樹脂が塗り込まれていることから漆塗り、箔貼りとも相性がよい。
【００３３】
また、フィルム法合成紙は、ポリプロピレンを主原料とするものが望ましい。紙２を楮を原料とした紙漉き和紙とした場合には、本件工芸品として完成したときに、他の紙素材が弾力性を保つものとは異なり、固さを有するという特徴がある。
【００３４】
これらの紙を手彫り又はカッティングマシン、レーザーマシン等を利用して、図１のように切り抜く（第１工程）。なお、透かし彫り又は切り絵の図柄は自由である。また、紙２は第１の層を形成している。
【実施例１】
【００３５】
実施例１では、透かし彫り又は切り絵加工を施した紙２に黒漆を塗布するものであり、箔を貼った後にツヤを出したい場合に好適である。黒漆は第２の層を形成している。すわなち、透かし彫り又は切り絵を施した紙２に黒漆３を塗布し、ムロで所定時間乾燥させた後、さらに黒漆４を塗布し、ムロで所定時間乾燥させる（第２工程）。この第２工程の所定時間は、半日から１日程度が望ましい。
【００３６】
前記第２工程の後、黒漆５を塗布した直後に箔６を貼付し、ムロで所定時間乾燥させる（第３工程）。箔６は、金箔、銀箔、プラチナ箔、色銀箔、模様箔等、漆でのコーティングができる箔材料を用いる。また、第３工程の所定時間は３から５日程度が望ましい。箔６は第３の層を形成している。
【００３７】
前記第３工程の後、ブラシや刷毛等の部材で余分な箔を除去する（第４工程）ことによって工芸品１は完成する。黒漆を使って箔貼りを行う第１の実施例では、仕上げが艷やかになり、一見本物の貴金属に見える。
【実施例２】
【００３８】
実施例２では、透かし彫り又は切り絵加工を施した紙２に生漆を塗布するものであり、箔貼後マット調に仕上げる場合に好適である。すわなち、透かし彫り又は切り絵を施した紙２に生漆１０を塗布した直後に箔１１を貼り、ムロで所定時間乾燥させる（第２工程）。この第２工程の所定時間は３日から５日であることが望ましい。生漆１０は第２の層、箔１１は第３の層を形成している。
【００３９】
第２工程の後、フラシや刷毛等で余分な箔１１をこそげ取る（第３工程）。第３工程の後、生漆１２を前記第３の層（箔１１が剥がれている箇所は前記第２の層）に塗布し、その直後に箔１３を貼り、ムロで所定時間乾燥させる（第４工程）。第４工程の後、フラシや刷毛等で余分な箔１１をこそげ取る（第５工程）。これにより第２の実施例における工芸品１が完成する。第４工程の所定時間は２週間から一ヶ月程度が望ましい。生漆１２は第４の層、箔１３は第５の層を形成している。
【００４０】
なお、第２の実施例では、第５の工程後、透明のコーティング剤を塗布することにより、輝き方を調整することができる。
【産業上の利用可能性】
【００４１】
本発明に係る透かし彫り又は切り絵工芸品は、特定の分野・用途に限定されない。ジュエリー類の身飾品に代わるものとしての役割が大いに期待されるが、その他の装飾に対しても、上記インテリアや大型ディスプレイ等、ジャンルを問わずに利用することが可能である。
【符号の説明】
【００４２】
１          イヤリング本体
２          紙
３、４、５  黒漆        
６          箔
１０、１２    生漆
１１、１３    箔
【図１】
2020185736.tif 000003
【図２】
2020185736.tif 000004
【図３】
2020185736.tif 000005
【図４】
2020185736.tif 000006
【図５】
2020185736.tif 000007